(57)【特許請求の範囲】
【請求項１】
装填される電池により電力を供給されるカメラ本体と、該カメラ本体に電力を供給する該電池の端子に接触する導電性を有する電池接片と、前記カメラ本体を覆う導電性を有する外装部材と、該外装部材を前記カメラ本体に固定する導電性を有する固定部材とを備えたカメラにおいて、前記外装部材と負極側の前記電池接片が前記固定部材を介して導通するように構成したことを特徴とするカメラ。
【請求項２】
前記固定部材が負極側の前記電池接片を前記カメラ本体に固定するように構成したことを特徴とする請求項１に記載のカメラ。
【請求項３】
前記固定部材がネジであることを特徴とする請求項１または請求項２に記載のカメラ。
【発明の詳細な説明】
【０００１】
【発明の属する技術分野】
本発明は、静電気によって内部の電子部品が破壊されるのを防止する構造を有するカメラに関するものである。
【０００２】
【従来の技術】
人体やカメラ本体の帯電によってカメラ内部の電子部品が破壊されるのを防止するために、静電気対策を施したカメラが種々提案されている。
【０００３】
例えば、実開平３−１０８２３２号公報には、カメラ本体の外部に導電性部材を設け、該導電性部材を接続部材を介して電池の負極端子に導通させたカメラが開示されている。
【０００４】
また、特開昭６１−１３３９２９号公報には、導電性のカメラ本体に隣接して底部に形成された電池収納室を塞ぐ非導電性の電池蓋の内側に導電性部材を貼着し、該導電性部材とカメラ本体とを電池蓋が閉じた状態で電気的に接続する接続部材を設けたカメラが開示されている。
【０００５】
また、本願出願人は、先に、図３に示すように、カメラ本体（不図示）を覆う導電性を有する外装部材１０２と、カメラ本体に電力を供給する電池（不図示）の負極端子に接触した電池接片（不図示）とを、外装部材１０２をカメラ本体に固定する導電性を有するネジ１０４及び前記電池接片との接続部１０３ａを有するプリント基板１０３を介して電気的に接続したカメラ１０１を提案した。
【０００６】
【発明が解決しようとする課題】
上述した各先行技術例では、導通させようとする二つの部材を電気的に接続するために接続部材やプリント基板等の部品が新たに追加されており、これがコンパクト化を図る上で大きな障害になるという問題点が有る。
【０００７】
また、導通させようとする二つの部材を電気的に接続するための部品の数が多くなるほど、これらの部品間の接触不良等によって二つの部材間の導通の確実性が低下するという問題点が有る。
【０００８】
本発明は、上述した問題点を解決するためになされたもので、その目的は、静電気によって内部の電子部品が破壊されるのを防止する構造を有し、かつコンパクト化及び信頼性の向上を図ったカメラを提供することにある。
【０００９】
【課題を解決するための手段】
上述した目的を達成するために、請求項１の発明は、装填される電池により電力を供給されるカメラ本体と、該カメラ本体に電力を供給する該電池の端子に接触する導電性を有する電池接片と、前記カメラ本体を覆う導電性を有する外装部材と、該外装部材を前記カメラ本体に固定する導電性を有する固定部材とを備えたカメラにおいて、前記外装部材と負極側の前記電池接片が前記固定部材を介して導通するように構成したことを特徴とするものである。
【００１０】
また、請求項２の発明は、請求項１の発明において、前記固定部材が負極側の前記電池接片を前記カメラ本体に固定するように構成したことを特徴とするものである。
【００１１】
また、請求項３の発明は、請求項１または請求項２の発明において、前記固定部材がネジであることを特徴とするものである。
【００１２】
【発明の実施の形態】
以下、本発明の具体的な実施形態を図面を参照しながら説明する。
図１は本発明の一実施形態の一部破断正面図、図２は図１の側面断面図である。
【００１３】
同図に示すように、本実施形態のカメラ１は、カメラ本体２と、カメラ本体２の底部に形成された電池収納室３内に収納されカメラ本体２に内蔵された電気回路（不図示）に電力を供給する電池４と、電池収納室３内に収納された電池４の正極端子４ａ及び負極端子４ｂに接触する電池接片５、６と、カメラ本体２を覆う外装部材７と、該外装部材７をカメラ本体２に固定する複数個のネジ８とを有している。
【００１４】
カメラ本体２は、電気回路等の部品（不図示）を支持するフレーム９を有し、フレーム９には、外装部材７を固定するための取付孔９ａが設けられており、この取付孔９ａの内周面にはネジ８の軸部に螺合するネジ山が形成されている。
【００１５】
電池接片５、６は導電性を有する金属によって形成され、負極側の電池接片６は、側面にネジ８の軸部が螺合するネジ孔６ａを有しており、このネジ孔６ａがフレーム９に設けられた取付孔９ａの一つと整合するように両面接着テープ１０によってフレーム９に仮固定される。一方、正極側の電池接片５は、針金等の線材によってフレーム９に固定される。
【００１６】
外装部材７は導電性を有する金属によって形成され、ネジ８の軸部が貫通する複数個の貫通孔７ａを有している。ネジ８は導電性を有する金属によって形成されている。外装部材７をネジ８によってカメラ本体２のフレーム９に固定すると、一つのネジ８が電池接片６に設けられたネジ孔６ａを貫通し、電池接片６をフレーム９に固定するようになっている。これにより、外装部材７と電池接片６とがネジ８を介して導通した状態となるため、外装部材７に人体等の帯電した物体が触れても、静電気がカメラ本体２に流れ込むことがなく、静電気によって電子部品が破壊される恐れがない。
【００１７】
本発明では、外装部材７と電池接片６を電気的に接続するために新たに部品が追加されていないため、スペース的に有利で、コンパクト化を図ることができる。また、外装部材７と電池接片６を電気的に接続する部品の数が最少であるため、導通不良が生じにくい。
【００１８】
また、本実施形態では、外装部材７と電池接片６を電気的に接続するネジ８が電池接片６をカメラ本体２に固定するようになっているため、カメラ本体２側に電池接片６を固定する部分を設ける必要がなく、カメラ本体２の構造がシンプルであるとともに、電池接片６をカメラ本体２に強固に固定する必要がなく、仮固定するだけでよいので、製造時の作業性が良い。なお、電池接片６を外装部材７側に仮固定するようにしてもよい。
【００１９】
【発明の効果】
以上説明したように、本発明によれば、外装部材をカメラ本体に固定する固定部材を介して外装部材と負極側の電池接片が導通するようにしたことにより、外装部材と負極側の電池接片を電気的に接続するための部品を新たに追加する必要がないため、コンパクト化を図ることができる。また、外装部材と負極側の電池接片を電気的に接続する部品の数が最少であるため、導通不良が生じにくく、信頼性が高い。
【００２０】
また、請求項２のカメラによれば、固定部材が負極側の電池接片をカメラ本体に固定するように構成したことにより、カメラ本体側に負極側の電池接片を固定する部分を設ける必要がなく、カメラ本体がシンプルになるとともに、負極側の電池接片をカメラ本体に強固に固定する必要がないため、製造時の作業性が向上する。
【図面の簡単な説明】
【図１】本発明の一実施形態の一部破断正面図。
【図２】図１の側面断面図。
【図３】従来のカメラの正面図。
【符号の説明】
１  カメラ
２  カメラ本体
４  電池
５  正極側電池接片
６  負極側電池接片
７  外装部材
８  ネジ（固定部材）
【図１】
0003632379.tif 000002
【図２】
0003632379.tif 000003
【図３】
0003632379.tif 000004